(57)【要約】【課題】  植物質の原料を用いると共に、その問題点を解消する原料を加えて主原料とした防草材及び緑化材を提供せんとする。【解決手段】  防草材は木質チップ、発泡ガラス粉粒及び結合材を主成分とするものであり、木質チップの大きさは１２〜２５ｍｍ、発泡ガラス粉粒の粒径は２０ｍｍ以下が好適で、結合材にはセメント又は樹脂系接着剤が望ましい。防草材に肥料及び種子を混合することで緑化材を得られる。【選択図】  なし【特許請求の範囲】
【請求項１】
木質チップ、発泡ガラス粉粒及び結合材を主成分とする防草材。
【請求項２】
木質チップが１２〜２５ｍｍの大きさである請求項１記載の防草材。
【請求項３】
発泡ガラス粉粒が粒径２０ｍｍ以下である請求項１又は２記載の防草材。
【請求項４】
結合材がセメント又は樹脂系接着剤である請求項１乃至３のいずれかに記載の防草材。
【請求項５】
木質チップ、発泡ガラス粉粒及び結合材を主成分とする基材に肥料及び種子を混合したことを特徴とする緑化材。
【請求項６】
木質チップが１２〜２５ｍｍの大きさである請求項５記載の緑化材。
【請求項７】
発泡ガラス粉粒が粒系２０ｍｍ以下である請求項５又は２記載の緑化材。
【請求項８】
結合材がセメント又は樹脂系接着剤である請求項５乃至７のいずれかに記載の緑化材。
【発明の詳細な説明】
【技術分野】
【０００１】
本発明は、法面や中央分離帯或いは遊休地等に敷設し、景観を配慮する防草材及び緑化材に関するものである。
【背景技術】
【０００２】
例えば、法面の美観を維持管理するため、法面に雑草の繁茂を防止する防草材を定期的に吹き付けて敷設したり、逆に美観を向上させるために積極的に草花を育成する緑化材を敷設することが知られている。
【０００３】
防草材や緑化材の主原料としては、アスファルト、コンクリート、プラスチック、石、レキ、発泡鉱物、植物質、水砕スラグ等を利用したものが提案され、又緑化材にはこれ等の主原料に加えて肥料や種子を混合するものと成っている。
【特許文献１】特開平７ー８２７４９
【特許文献２】特開平１０ー１８３６２９
【特許文献３】特開２００２ー１４２５７６
【発明の開示】
【発明が解決しようとする課題】
【０００４】
上記特許文献３には、法面等に敷設するマルチング材を上下の二層とすること、下層には保温性、雑草被圧防止性、除去性、透水性や施工・補修性を備えたバーク、木片、オガクズ、間伐枝葉、製紙かす、ワラ及びモミガラ等の植物質を、上層には景観性と耐火性を備えた石、レキ、無機質又はその発泡物を含む鉱物粒としたことが開示されている。
【０００５】
二層構成とすることは、二度の敷設作業が必要で手数の増大が避けられないこと、緑化目的の場合は肥料・種子が下層に混合されるけれど、植物質は保水能力及び保肥能力が低く乾燥害を受けやすく、肥料が流出して栄養不足となりやすく、栄養化を高くすると腐食を早めることとなる等の問題が指摘されている。
【０００６】
そこで、本発明は植物質の原料を用いると共に、その問題点を解消する原料を加えて主原料とした防草材及び緑化材を提供せんとするものである。
【課題を解決するための手段】
【０００７】
本発明の防草材は、木質チップ、発泡ガラス粉粒及び結合材を主成分とするものであり、木質チップの大きさは１２〜２５ｍｍ、発泡ガラス粉粒の粒径は２０ｍｍ以下が好適で、結合材にはセメント又は樹脂系接着剤が望ましい。
【０００８】
そして、上記本発明の防草材に肥料及び種子を混合して、結合材を調整することで本発明の緑化材を得られるものである。
【０００９】
主原料である木質チップは、建設現場等で発生する伐根材、樹皮等を粉砕してチップ状とし、又発泡ガラス粉粒も使用済みで廃棄されたガラス製品等を利用し、粉砕し、加熱発泡処理することで資源のリサイクルを図ることができる。
木質チップは保温性、雑草被圧性や透水性に優れた作用を奏し、一方、耐火性、保肥性や耐用性の面は発泡ガラス粉粒が無機質で多孔質であることで補足する作用を奏しているのである。
更に、木質チップだけで敷設した時に生じる隙間を、より小さな粉粒とした発泡ガラス粉粒で埋め、雑草の種子の流入を防止する作用を奏し、木質チップに対して発泡ガラス粉粒を１〜３割の体積比率で調合すれば充分である。
【発明の効果】
【００１０】
本発明の防草材及び緑化材は、共に主原料が天然素材であり、木質廃材や廃棄されたガラスを使用することもできるから自然環境に優しく、リサイクルを可能とするものであり、循環型社会の構築に貢献できるものである。
【００１１】
耐火性の低い木質チップに対し、発泡ガラス粉粒は耐火性が高く、又腐食せず、気孔を有する発泡ガラス粉粒が水分の吸放出作用によって木質チップの腐食を抑え、耐用年数を伸ばして管理コストを低減させる効果を有し、更に発泡ガラス粉粒は肥料の保肥作用をも行い、緑化作用にも資する効果を発揮する。
【００１２】
そして、木質チップより小径とした発泡ガラス粉粒を用いるため、木質チップの生じた隙間を小径の発泡ガラス粉粒が埋め、雑草の種子の流入を防止する効果を有する。
更に、結合材と共に混合することで、吹付機で法面の斜面へ吹き付けたり、平面地に流し込んで敷設すれば、主原料や肥料等の流出を防止し、適宜硬化して安定した敷設となるものである。
【発明を実施するための最良の形態】
【００１３】
本発明の一実施の形態を説明する。
本発明の防草材及び緑化材の共通する主原料である木質チップは、建築現場で発生する植物発生材（伐根材、間伐材等）等を粉砕して得るものであり、粉砕の大きさは３０ｍｍ以下で、好ましくは１２〜２５ｍｍが望ましい。
一方、発泡ガラス粉粒は、各種の発泡ガラスの利用が可能であり、金属やレッテル等のガラス素材以外を除去して粉砕し、加熱発泡処理にて得られ、粉砕は粒径は３０ｍｍ以下とし、好ましくは粒径２０ｍｍ以下とする。
そして、木質チップと発泡ガラス粉粒との混合は、木質チップに対して１０〜３０％の体積割合で適宜選択する。
【００１４】
結合材はセメント又は樹脂系接着剤とし、木質チップと発泡ガラス粉粒の合計量の２０％の数値をｋｇに置き換えて配合する。
又、肥料は化学肥料や有機肥料を混合したものを用いるのがよい。
【実施例１】
【００１５】
防草材の配合例として、１ｍ3当たり、厚さ５０ｍｍの場合、木質チップ（１２〜２５ｍｍ）を１．５００リットル、発泡ガラス粉粒（径２０ｍｍ以下）を３００リットル、結合材としてポルトランドセメントを３６０ｋｇ、そして、セメント強化剤と清水を適当量加えてミキサーで混合する。
この混合基材を、法面へは法面専用吹付機で加圧噴射して厚さ５０ｍｍ以上の層を敷設し、平面の場合も同様に加圧噴射するか、単に流し込むだけでもよい。
敷設厚さは一般的には５０〜２００ｍｍの範囲で決定している。
【実施例２】
【００１６】
緑化材の配合例として、１ｍ3当たり木質チップ（１２〜２５ｍｍ）を１．２６０リットル、発泡ガラス粉粒（径２０ｍｍ以下）を２８０リットル、有機質肥料を１４０ｋｇ、そして化成肥料と発育促進剤に結合材（侵食防止剤）と緑化する草木の種子を適宜加えて混合するものである。
この混合基材を前記実施例１と同様に法面又は平面に敷設する。
【００１７】
上記実施例における防草材は腐食しにくく、従来の防草材に比べ長期間の防草効果を発揮した。
又、緑化材においては、種子の成長が順調で緑化促進が確認され、種子及び肥料の流出が抑制されたものと思われる。そして、廃材や発泡ガラスのリサイクルの新たな用途が確立されたものである。